(57)【要約】【課題】  移動手摺の剥がれ等の異常の有無を簡易な構成であって自動的に検出する乗客コンベヤー用移動手摺の異常検出装置を得る。【解決手段】  乗客コンベヤーの運転による移動手摺３の循環移動により被覆シート４に剥がれ等の不具合が発生している状態では、検出器１２の投射部１３からの投射エネルギー波が反射面１０で反射するものの反射エネルギー波が検出されず、これにより被覆シート４の異常発生を自動的に検出する。  このため、移動手摺３の保守、点検のために作業員が移動手摺３を全長にわたって目視して、異常の有無を点検する作業を行う必要がなく移動手摺３の保守費用を低減することができる。【選択図】        図６
2005170653.tif 000002
【特許請求の範囲】
【請求項１】
横断面Ｃ字状をなし固定部に立設された欄干の外周に沿って移動する無端状の移動手摺、この移動手摺のＣ字における外面を覆って被着された被覆シートと、この被覆シートの上記移動手摺におけるＣ字の開口縁部位置に設けられて上記移動手摺の長手に沿って断続して配置された反射面と、上記固定部に設けられて上記反射面にエネルギー波を投射し、正常時において上記反射面からの反射エネルギー波を検出して作動する検出器とを備えた乗客コンベヤー用移動手摺の異常検出装置。
【請求項２】
検出器を、反射面に投光し上記反射面からの反射光を受光して検出して作動する光電装置からなるものとしたことを特徴とする請求項１記載の乗客コンベヤー用移動手摺の異常検出装置。
【請求項３】
被覆シートを、移動手摺の横断面におけるＣ字の開口縁部寄り位置に連続した反射面が設けられたものとし、検出器を、正常時において上記反射面からの反射エネルギー波を連続検出して作動するものとしたことを特徴とする請求項１記載の乗客コンベヤー用移動手摺の異常検出装置。
【発明の詳細な説明】
【技術分野】
【０００１】
この発明は、エスカレーター、移動歩道等における移動手摺の外面に表面保護被膜、広告媒体等としての被覆シートが被着された乗客コンベヤー用移動手摺の異常検出装置に関する。
【背景技術】
【０００２】
乗客コンベヤーの移動手摺は無端状をなし直線部及び曲線部を形成して欄干の外周を循環移動する。また、移動手摺には外面に表面保護被膜、広告媒体等として熱転写シート等からなる被覆シートが被着される。この被覆シートは被覆シート自体の劣化による皺、破れが発生し、また接着力の劣化による剥がれや悪戯による剥がれが発生する。
【０００３】
なお、前述の剥がれ等の不具合は移動手摺が、循環移動時に直線部及び曲線部を通過するために屈伸を繰り返すことによって促進される。したがって、従来の乗客コンベヤー用移動手摺において美観を保つために定期的に点検作業を必要がある。そして、定期的点検作業によって発見された剥がれ等の異常箇所が必要に応じて補修作業が行われる。（例えば、特許文献１参照）。
【０００４】
【特許文献１】特開２００１−３０２１６０号公報（要約）
【発明の開示】
【発明が解決しようとする課題】
【０００５】
従来の乗客コンベヤー用移動手摺の保守、点検作業は、作業員が定期的に乗客コンベヤーの設置場所に出向いて、移動手摺の全長にわたって目視して異常の有無を点検する作業が行われる。このため、移動手摺の点検のために煩雑であって長時間にわたる作業を要するという問題点があった。
【０００６】
この発明は、かかる問題点を解消するためになされたものであり、移動手摺の剥がれ等の異常を有無を簡易な構成であって自動的に検出する乗客コンベヤー用移動手摺の異常検出装置を得ることを目的とする。
【課題を解決するための手段】
【０００７】
この発明に係る乗客コンベヤー用移動手摺の異常検出装置においては、横断面Ｃ字状をなし固定部に立設された欄干の外周に沿って移動する無端状の移動手摺、この移動手摺のＣ字における外面を覆って被着された被覆シートと、この被覆シートの移動手摺におけるＣ字の開口縁部位置に設けられて移動手摺の長手に沿って断続して配置された反射面と、固定部に設けられて反射面にエネルギー波を投射し、正常時において反射面からの反射エネルギー波を検出して作動する検出器とが設けられる。
【発明の効果】
【０００８】
この発明による乗客コンベヤー用移動手摺の異常検出装置は、乗客コンベヤーの運転による移動手摺の循環移動によって被覆シートに剥がれ等の不具合が発生している状態では、検出器の投射部からの投射エネルギー波が反射面で反射するものの反射エネルギー波が検出されず被覆シートの異常発生が自動的に検出される。これにより、移動手摺の保守、点検のために作業員が移動手摺の全長にわたって目視して異常の有無を点検する作業を行う必要がなく、移動手摺の保守費用を低減することができる。
【発明を実施するための最良の形態】
【０００９】
実施の形態１．
図１〜図８は、この発明の実施の形態を示す図で、図１はエスカレーターからなる乗客コンベヤーを概念的に示す側面図、図２は図１の移動手摺の横断面を拡大して示す図、図３は図２のＡ部拡大図、図４は図３の底面図、図５は図４の被覆シートの展開図、図６は図１における検出器の配置を概念的に示す図、図７は図６における異常発生時の状況を説明する図、図８は図１における検出器の挙動を説明するグラフである。
【００１０】
図において、主枠１の長手に沿って欄干２が立設され、横断面Ｃ字状をなし無端状に形成された移動手摺３が図１に示すように直線部及び曲線部を形成して欄干２の外周を図６及び図７に示す矢印Ａ方向へ循環移動する。また、移動手摺３には外面に表面保護被膜、広告媒体等として熱転写シート等からなる被覆シート４が被着される。
【００１１】
そして、被覆シート４は移動手摺３の外面に接着される接着剤層５、接着剤層５の上の印刷フィルム６、印刷フィルム６上であって広告等が表示された印刷面７及び印刷面７の上の保護フィルム８によって構成される。また、被覆シート４の移動手摺３横断面におけるＣ字の開口縁部９寄り位置に反射面１０が設けられて移動手摺３の長手に沿って断続して配置されて、反射面１０の相互間に非反射面１１が形成される。なお、反射面１０及び非反射面１１は移動手摺３Ｃ字の開口縁部９寄りに設けられるので、外部から見えることはない。
【００１２】
そして、主枠１又は欄干２からなる固定部に光電装置から検出器１２が装着されて移動手摺３の直線移動部に対向して配置される。また、検出器１２は光線からなるエネルギー波を投射する投射部１３及び反射面１０からの反射波が入射する入射部１４が被覆シート４の反射面１０に対向して配置される。そして、それぞれの検出器１２が制御装置１５に接続され、制御装置１５は乗客コンベヤーの管理室、保守会社の管理センター（図示しない）等に設置された報知装置１６に接続されている。
【００１３】
上記のように構成された乗客コンベヤー用移動手摺の異常検出装置において、乗客コンベヤーが運転されると移動手摺３が図１に示すように直線部及び曲線部を形成して図６等に示す矢印Ａ方向へ循環移動する。このときに、被覆シート４に剥がれ等の不具合が発生していない状態では、検出器１２の投射部１３からの投射エネルギー波が反射面１０で反射して、図６に示す左側、右側の検出器１２のように入射部１４に入射し、検出器１２が図８のグラフにおける線ＸのようにＯＮ→ＯＦＦ→ＯＮを繰り返して作動状態となる。
【００１４】
また、検出器１２の作動が図８のグラフの線Ｘの状態の場合には、制御装置１５が作動することはない。
また、被覆シート４に剥がれ等の不具合が発生している状態では、移動手摺３の循環移動によって検出器１２の投射部１３からの投射エネルギー波が反射面１０で反射するものの、図７に示す右側の検出器１２のように入射部１４に入射しない。このため、検出器１２が図８のグラフにおける線ＹのようにＯＮ→ＯＦＦ→ＯＦＦとなって検出器１２は不作動となる。
【００１５】
そして、検出器１２の動作が図８のグラフの線Ｙの状態の場合には、制御装置１５が作動して報知装置１６に報知動作を指令する。これによって、報知装置１６が動作して音響的、視覚的手段によって被覆シート４の皺、破れ、剥がれ等の不具合の発生を報知する。このように被覆シート４の異常発生が、自動的に報知されるので移動手摺３の保守、点検のために作業員が定期的に乗客コンベヤーの設置場所に出向いて、移動手摺３の全長にわたって目視して異常の有無を点検する作業が解消される。
【００１６】
これにより、移動手摺３を目視して点検する作業を省くことができて移動手摺３の保守費用を低減することができる。また、被覆シート４の異常発生が報知装置１６によって自動報知されるので、被覆シート４の異常発生に対して迅速に対応でき移動手摺３の美観を容易に保つことができる。
【００１７】
実施の形態２．
図１〜図８の実施の形態を応用して、次に述べるように乗客コンベヤー用移動手摺の異常検出装置を容易に構成することができる。すなわち、被覆シート４の移動手摺３横断面におけるＣ字の開口縁部９寄り位置に連続した反射面１０を設ける。そして、被覆シート４に剥がれ等の不具合が発生していない状態では、検出器１２の入射部１４は常時ＯＮとなって作動状態となる。また、被覆シート４に剥がれ等の不具合が発生している状態では、検出器１２の入射部１４に反射エネルギーが入射せずＯＦＦとなり検出器１２は不作動となる。
【００１８】
このような構成においても、被覆シート４の異常発生が、検出器１２によって検出されて自動的に報知される。したがって、詳細な説明を省略するが図１〜図８の実施の形態と同様な作用が得られる。
【００１９】
実施の形態３．
図１〜図８の実施の形態における検出器１２を非接触検出器からなるものとする。すなわち、例えば検出器を適宜な電磁波を投射して、反射面１０からの反射波を入射部１４によって検出して作動するものとする。このような構成においても、被覆シート４の異常発生が、検出器によって検出されて自動的に報知される。したがって、詳細な説明を省略するが図１〜図８の実施の形態と同様な作用が得られる。
【図面の簡単な説明】
【００２０】
【図１】この発明の実施の形態１を示す図で、エスカレーターからなる乗客コンベヤーを概念的に示す側面図。
【図２】図１の移動手摺の横断面を拡大して示す図。
【図３】図２のＡ部拡大図。
【図４】図３の底面図。
【図５】図４の被覆シートの展開図。
【図６】図１における検出器の配置を概念的に示す図。
【図７】図６における異常発生時の状況を説明する図。
【図８】図１における検出器の挙動を説明するグラフ。
【符号の説明】
【００２１】
１  主枠（固定部）、２  欄干（固定部）、３  移動手摺、４  被覆シート、９  開口縁部、１０  反射面、１２  検出器。
【図１】
2005170653.tif 000003
【図２】
2005170653.tif 000004
【図３】
2005170653.tif 000005
【図４】
2005170653.tif 000006
【図５】
2005170653.tif 000007
【図６】
2005170653.tif 000008
【図７】
2005170653.tif 000009
【図８】
2005170653.tif 000010